(57)【要約】【課題】柔道整復師の施術所に通う被保険者のうち、医療保険の対象とならない不適切な施術を受けた者を判定する技術を提供する。【解決手段】判定装置は、所定期間における被保険者である対象者の柔道整復施術を行う施設を利用した日数を示す第１情報と、前記所定期間における前記対象者の前記施設での療養費を示す第２情報と、前記対象者の居住地域を示す第３情報と、を取得する取得部と、前記柔道整復施術を適切に受けた第１被保険者及び前記柔道整復施術を適切に受けていない第２被保険者の夫々の前記第１〜３情報に基づいて機械学習により得られる学習モデルと、前記対象者の前記第１〜３情報と、に基づいて、前記対象者が前記柔道整復施術を適切に受けた者であるか否かを判定する判定部と、を含むことを特徴とする。【選択図】図９
2019212117.tif 000002
【特許請求の範囲】
【請求項１】
所定期間における被保険者である対象者の柔道整復施術を行う施設を利用した日数を示す第１情報と、前記所定期間における前記対象者の前記施設での療養費を示す第２情報と、前記対象者の居住地域を示す第３情報と、を取得する取得部と、
前記柔道整復施術を適切に受けた第１被保険者及び前記柔道整復施術を適切に受けていない第２被保険者の夫々の前記第１〜３情報に基づいて機械学習により得られる学習モデルと、前記対象者の前記第１〜３情報と、に基づいて、前記対象者が前記柔道整復施術を適切に受けた者であるか否かを判定する判定部と、
を含むことを特徴とする判定装置。
【請求項２】
請求項１に記載の判定装置であって、
前記取得部は、前記対象者の年齢に関する第４情報を更に取得し、
前記判定部は、前記第１及び第２保険者の夫々の前記第１〜４情報に基づいて前記機械学習により得られる前記学習モデルと、前記対象者の前記第１〜４情報と、に基づいて、前記対象者が前記柔道整復施術を適切に受けた者であるか否かを判定すること、
を特徴とする判定装置。
【請求項３】
請求項２に記載の判定装置であって、
前記取得部は、前記対象者の前記施設での施術期間に関する第５情報を更に取得し、
前記判定部は、前記第１及び第２保険者の夫々の前記第１〜５情報に基づいて前記機械学習により得られる前記学習モデルと、前記対象者の前記第１〜５情報と、に基づいて、前記対象者が前記柔道整復施術を適切に受けた者であるか否かを判定すること、
を特徴とする判定装置。
【請求項４】
請求項３に記載の判定装置であって、
前記取得部は、前記対象者の健康保険の加入期間に関する第６情報を更に取得し、
前記判定部は、前記第１及び第２保険者の夫々の前記第１〜６情報に基づいて前記機械学習により得られる前記学習モデルと、前記対象者の前記第１〜６情報と、に基づいて、前記対象者が前記柔道整復施術を適切に受けた者であるか否かを判定すること、
を特徴とする判定装置。
【請求項５】
請求項４に記載の判定装置であって、
前記取得部は、前記対象者の住所から前記施設までの距離を示す第７情報を更に取得し、
前記判定部は、前記第１及び第２保険者の夫々の前記第１〜７情報に基づいて前記機械学習により得られる前記学習モデルと、前記対象者の前記第１〜７情報と、に基づいて、前記対象者が前記柔道整復施術を適切に受けた者であるか否かを判定すること、
を特徴とする判定装置。
【請求項６】
請求項５に記載の判定装置であって、
前記取得部は、前記対象者の住所から勤務先までの距離を示す第８情報を更に取得し、
前記判定部は、前記第１及び第２保険者の夫々の前記第１〜８情報に基づいて前記機械学習により得られる前記学習モデルと、前記対象者の前記第１〜８情報と、に基づいて、前記対象者が前記柔道整復施術を適切に受けた者であるか否かを判定すること、
を特徴とする判定装置。
【請求項７】
請求項６に記載の判定装置であって、
前記取得部は、前記対象者が属する世帯の被保険者数を示す第９情報を更に取得し、
前記判定部は、前記第１及び第２保険者の夫々の前記第１〜９情報に基づいて前記機械
学習により得られる前記学習モデルと、前記対象者の前記第１〜９情報と、に基づいて、前記対象者が前記柔道整復施術を適切に受けた者であるか否かを判定すること、
を特徴とする判定装置。
【請求項８】
請求項７に記載の判定装置であって、
前記取得部は、前記対象者の属性を示す第１０情報を更に取得し、
前記判定部は、前記第１及び第２保険者の夫々の前記第１〜１０情報に基づいて前記機械学習により得られる前記学習モデルと、前記対象者の前記第１〜１０情報と、に基づいて、前記対象者が前記柔道整復施術を適切に受けた者であるか否かを判定すること、
を特徴とする判定装置。
【請求項９】
所定期間における被保険者である対象者の柔道整復施術を行う施設を利用した日数を示す第１情報と、前記所定期間における前記対象者の前記施設での療養費を示す第２情報と、前記対象者の居住地域を示す第３情報と、を取得するステップと、
前記柔道整復施術を適切に受けた第１被保険者及び前記柔道整復施術を適切に受けていない第２被保険者の夫々の前記第１〜３情報に基づいて機械学習により得られる学習モデルと、前記対象者の前記第１〜３情報と、に基づいて、前記対象者が前記柔道整復施術を適切に受けた者であるか否かを判定するステップと、
を実行することを特徴とする判定方法。
【発明の詳細な説明】
【技術分野】
【０００１】
本発明は、被保険者のデータを分析する装置、方法に関する。
【背景技術】
【０００２】
健康保険に加入している被保険者は、一般的な医療機関だけでなく、柔道整復師の施術所で健康保険を使用することがある。また、特許文献１には、柔道整復師が行った施術の療養費の支給申請書を作成するシステムが開示されている。
【先行技術文献】
【特許文献】
【０００３】
【特許文献１】特開２０１７−８４１６９号公報
【発明の概要】
【発明が解決しようとする課題】
【０００４】
ところで、柔道整復師等が行う施術には、医療保険の対象となるものと、ならないものとがある。そして、被保険者によっては、医療保険の対象とならない、例えば単なる肩こりに対する施術を、医療保険の対象である施術として、繰り返し施術を受ける者もいる。しかしながら、特許文献１のシステムでは、被保険者が医療保険の対象とならない症状に不適切な施術を受けた者であるかを判定することはできず、保険者の負担が増加してしまうことがある。
【０００５】
そこで本発明の目的は、柔道整復師の施術所に通う被保険者のうち、医療保険の対象とならない症状に医療保険を用いる不適切な施術を受けた者を判定する技術を提供することにある。
【課題を解決するための手段】
【０００６】
上記課題を解決する本発明の判定装置は、所定期間における被保険者である対象者の柔道整復施術を行う施設を利用した日数を示す第１情報と、前記所定期間における前記対象者の前記施設での療養費を示す第２情報と、前記対象者の居住地域を示す第３情報と、を取得する取得部と、前記柔道整復施術を適切に受けた第１被保険者及び前記柔道整復施術を適切に受けていない第２被保険者の夫々の前記第１〜３情報に基づいて機械学習により得られる学習モデルと、前記対象者の前記第１〜３情報と、に基づいて、前記対象者が前記柔道整復施術を適切に受けた者であるか否かを判定する判定部と、を含むことを特徴とする。
【発明の効果】
【０００７】
本発明によれば、柔道整復師の施術所に通う被保険者のうち、医療保険の対象とならない症状に医療保険を用いる不適切な施術を受けた者を判定することができる。
【図面の簡単な説明】
【０００８】
【図１】判定システム１０の構成を示す図である。
【図２】記憶装置５２に記憶される情報の一例を示す図である。
【図３】初期データ７２を説明するための図である。
【図４】演算装置５０ａに実現される機能ブロックを示す図である。
【図５】学習モデルを生成する処理を示すフローチャートである。
【図６】中間データ７３の特徴量の重要度を説明するための図である。
【図７】教師データ７４として選択されるデータを説明するための図である。
【図８】演算装置５０ｂに実現される機能ブロックを示す図である。
【図９】対象者が不適切な施術を受けた者かを判定するフローチャートである。
【発明を実施するための形態】
【０００９】
−−−判定システム１０−−−
図１は、判定システム１０の構成を示す図である。判定システム１０は、医療保険者の組合員のうち、柔道整復師の施術所（以下、「柔整施術所」とする）において医療保険の対象とならない症状に医療保険を用いる不適切な施術を受けた者を判定するためのシステムである。なお、「柔整施術所」は、例えば、接骨院、整骨院、ほねつぎとも言う。
【００１０】
ここで「適切な施術」とは、医療保険の対象となる症状に対し施され、診療報酬（施術に係る療養費）が正しく請求された際の施術である。また、「不適正な施術（適切でない施術）」とは、医療保険の対象とならない症状を、医療保険の対象である症状として施され、診療報酬が不正に請求された際（医療保険が不正に用いられた際）の施術である。このため、「適切な施術」には、例えば、脱臼や捻挫に対する施術が含まれる。一方、「不適正な施術（適切でない施術）」には、例えば、医療保険が適用されない単なる「肩こり」を、医療保険が適用される「打撲」等であるとして施された施術が含まれる。
【００１１】
また、「適切な施術を受けた者（施術を適切に受けた者）」とは、診療報酬が正しく請求された施術を受けた者であり、「不適切な施術を受けた者（施術を適切に受けていない者）」とは、診療報酬が正しく請求されていない施術（診療報酬が不正請求された施術）を受けた者である。
【００１２】
判定システム１０は、例えば、医療保険者（以下、「保険者」とする）の施設内に設置されたシステムであり、記憶装置２０、及び判定装置２１を含んで構成される。
【００１３】
記憶装置２０は、例えばハードディスク等の不揮発性の記憶手段領域であり、データや各種情報が格納される。記憶装置２０には、個人情報データ３０、レセプトデータ３１、及び柔整データ３２が記憶される。
【００１４】
個人情報データ３０は、保険者の組合員である被保険者の「被保険者番号」、「氏名」、「被保険者の住所」、「居住都道府県のコード」、「生年月日（年齢）」、「性別」、「資格取得年」、「資格喪失年」、「１世帯あたりの被保険者数」、被保険者の属性に関する情報（「属性」、「職種」、「続柄」などを示すコード）の情報を含む。
【００１５】
レセプトデータ３１は、被保険者の「レセプト（被保険者ごとの診療報酬明細書、調剤報酬明細書）」の記載項目を示すデータであり、例えば、「診療開始日（年月日）」、「診療実日数」、「医療機関コード」、「疾病名」、「処置」、「請求点数」等の情報を含む。
【００１６】
柔整データ３２は、被保険者ごとの柔道整復師等の施術にかかる療養費の明細情報であり、「診察開始日」、「療養費の申請年月」、「柔整施設の住所」などの情報を含む。
【００１７】
なお、本実施形態では、保険者の複数の組合員（被保険者）ごとに、個人情報データ３０、レセプトデータ３１、及び柔整データ３２が対応して、記憶装置２０に格納されている。
【００１８】
判定装置２１は、所定の学習モデル（後述）を生成するとともに、保険者の組合員である被保険者から不適切な施術を受けた者を判定する装置である。判定装置２１は、演算装置５０、メモリ５１、記憶装置５２、入力装置５３、表示装置５４、及び通信装置５５を
含んで構成される。
【００１９】
演算装置５０は、メモリ５１や記憶装置５２に格納されたプログラムを実行することにより、様々機能を実現する。
【００２０】
メモリ５１は、例えばＲＡＭ（Random Access Memory）等であり、プログラムやデータ等の一時的な記憶領域として用いられる。
【００２１】
記憶装置５２は、例えばハードディスク等の不揮発性の記憶手段領域であり、プログラムやデータ等の様々な情報が格納される。本実施形態の記憶装置５２は、図２に示すように、生成プログラム７０、判定プログラム７１、初期データ７２、中間データ７３、教師データ７４、学習モデル７５、及び判定データ７６を含む。
【００２２】
生成プログラム７０は、学習モデル７５を生成する際に実行されるプログラムであり、判定プログラム７１は、不適切な施術を行う者を判定する際に実行されるプログラムである。
【００２３】
初期データ７２は、図３に示すように、所定の健康保険に加入する被保険者に関するデータであり、被保険者ごとに、個人情報データ３０、レセプトデータ３１、及び柔整データ３２の全てが対応付されている。具体的には、例えば、被保険番号“１０００１”の「山田一郎」に対しては、「山田一郎」の「性別」、「住所」等が含まれる。なお、ここでは便宜上、「性別」及び「住所」しか記載していないが、個人情報データ３０、レセプトデータ３１、及び柔整データ３２に含まれる他の情報も含む。
【００２４】
また、本実施形態では、一部の被保険者に関するデータに対し、一部の被保険者が適切な柔道整復施術（以下、「柔整施術」とする）を受けたか否かを示す情報が付加されている。具体的には、被保険者のデータに基づいて、被保険者が適切な「柔整施術」を受けた者であると判断された場合、適切な者であることを示す情報（“１”）が付され、被保険者が不適切な「柔整施術」を受けた者であると判断された場合、不適切な者であることを示す情報（“０”）が付される。
【００２５】
例えば、被保険番号“１０００１”の「山田一郎」に対しては、「山田一郎」が、適切な施術を受けた者であることを示す情報“１”が付されている。一方、被保険番号“１０００２”の「佐藤太郎」に対しては、「佐藤太郎」が不適切な施術を受けた者であることを示す情報“０”が付されている。なお、被保険者が適切な施術を受けた者であるか否かは、例えば、システム管理者により判断される。そして、初期データ７２は、記憶装置５２に格納される。
【００２６】
中間データ７３は、初期データ７２に基づいて生成され、教師データ７４の元となるデータである。なお、中間データ７３の詳細については後述する。
【００２７】
教師データ７４は、中間データ７３に基づいて生成され、学習モデル７５を生成する際に用いられるデータである。なお、詳細は後述するが、教師データ７４は、中間データ７３に含まれるデータ（「特徴量」）うち、被保険者が適切な施術を受けた者か否かを判定する際に重要なデータ（「特徴量」）が選択されたものである。
【００２８】
学習モデル７５は、被保険者が、柔整施術を適切に受けた者であるか否かを判定するために用いられる学習モデルである。
【００２９】
判定データ７６は、被保険者が、柔整施術を適切に受けた者であるか否かの判定結果を
示すデータである。
【００３０】
入力装置５３は、例えばタッチパネルやキーボードであり、利用者の操作結果や入力を受け付ける装置である。また、表示装置５４は、例えばディスプレイであり、操作結果や処理結果等を表示する。
【００３１】
通信装置５５は、ネットワークインターフェイスなどの通信手段であって、ネットワークを介して記憶装置２０や他の機器（不図示）との間でデータの送受信を行う。
【００３２】
−−−学習モデル７５の生成について−−−
＜＜演算装置５０ａに実現される機能ブロック＞＞
図４は、演算装置５０が、学習モデル７５を生成するための生成プログラム７０を実行した際に、演算装置５０ａに実現される機能ブロックを示す図である。
【００３３】
演算装置５０ａには、取得部１００、データ処理部１０１、分析部１０２、特定部１０３、教師データ生成部１０４、及び学習モデル生成部１０５が実現される。
【００３４】
取得部１００は、記憶装置５２に格納された初期データ７２のうち、情報“０”及び“１”が付されたデータを取得する。
【００３５】
データ処理部１０１は、取得部１００が取得したデータに所定の処理を施すことにより、中間データ７３を生成する。具体的には、例えばデータ処理部１０１は、被保険者ごとに、被保険者の月単位の柔整施設の「利用日数」や、月単位の柔整施設の「療養費」を計算する。また、データ処理部１０１は、被保険者ごとに、被保険者の「住所」と、被保険者が施術を受けた「柔整施設の住所」とに基づいて、両者の「距離Ａ」を計算する。さらに、データ処理部１０１は、被保険者の「住所」と、被保険者の勤務先の「住所」とに基づいて、両者の「距離Ｂ」を計算する。
【００３６】
この結果、例えば中間データ７３は、ｎ個のデータと、情報“０”または“１”の何れかを含み、（ｘ１，ｘ２，ｘ３，・・・，ｘｎ，“０”）または（ｘ１，ｘ２，ｘ３，・・・，ｘｎ，“１”）と表現される。なお、ここでは、“ｘ１”〜“ｘｎ”のそれぞれは、「被保険者の生年（年齢）」、月単位の「利用日数」、月単位の「療養費」、「距離Ａ」、「距離Ｂ」等である。
【００３７】
分析部１０２は、情報“０”が付された中間データ７３（不適切な者のデータ）に対して、ランダムフォレストに基づくアルゴリズムを使用する非線形回帰分析を実行する。なお、本実施形態では、分析部１０２は、ランダムフォレストを用いることとしたが、他の回帰分析のアルゴリズム（例えば、サポートベクター回帰、決定木）や、線形回帰のアルゴリズムを用いても良い。
【００３８】
特定部１０３は、分析部１０２の分析結果に基づいて、中間データ７３のうち、被保険者が適切な施術を受けた者か否かを判定する際に重要なデータ（「特徴量」）を特定する。
【００３９】
教師データ生成部１０４は、中間データ７３と、特定部１０３の分析結果に基づいて、教師データ７４を生成する。
【００４０】
学習モデル生成部１０５は、教師データ７４に基づいて、被保険者が、柔整施術を適切に受けた者であるか否かを判定するために用いられる学習モデル７５を生成する。
【００４１】
＜＜学習モデル７５の生成処理について＞＞
図５を参照しつつ、学習モデル７５の生成する処理Ｓ１０について説明する。まず、取得部１００は、記憶装置５２に格納された初期データ７２のうち、情報“０”及び“１”が付されたデータを取得する（Ｓ２０）。
【００４２】
そして、データ処理部１０１は、処理Ｓ２０で取得されたデータに対し、所定の処理を施して、中間データ７３を生成する（Ｓ２１）。この結果、中間データ７３として、ｎ個のデータと、情報“０”または“１”の何れかを含む（ｘ１，ｘ２，ｘ３，・・・，ｘｎ，“０”）または（ｘ１，ｘ２，ｘ３，・・・，ｘｎ，“１”）とのデータがそれぞれ複数得られることになる。
【００４３】
分析部１０２は、不適切な被保険者の中間データ７３（ｘ１，ｘ２，ｘ３，・・・，ｘｎ，“０”）を選択し、ランダムフォレストに基づく分析を実行する（Ｓ２２）。図６は、中間データ７３に含まれるデータ（「特徴量」）の重要度を示す図であり、データに対するジニ係数の減少量（Mean Decrease Gini）が表されている。また、図７は、中間データ７３に含まれるデータのうち、重要な特徴量に相当する１４個のデータＤ１〜Ｄ１０ｃを説明する図である。図６から明らかなように、不適切な被保険者か否かを判別するためのデータ（「特徴量」）としては、データＤ１が最も重要である。また、以下、不適切な被保険者か否かを判別するためのデータ（「特徴量」）としては、データＤ２〜Ｄ１０ｃの順に重要となる。
【００４４】
ここで、データＤ１（第１情報）は、「被保険者の月単位（所定期間）の柔整の利用日数」であり、データＤ２（第２情報）は、「被保険者の月単位の柔整の療養費」であり、データＤ３（第３情報）は、「被保険者の居住都道府県のコード」である。
【００４５】
データＤ４（第４情報）は、「被保険者の年齢（生年）」であり、データＤ５ａ，５ｂ（第５情報）のそれぞれは、「柔整の療養費申請年月」、「柔整での診察開始年月」である。また、データＤ６ａ，６ｂ（第６情報）のそれぞれは、「保険資格取得年」、「保険資格喪失年」であり、データＤ７は、「被保険者の住所から柔整施設までの距離」であり、データＤ８は、「被保険者の住所から勤務先までの距離」である。
【００４６】
さらに、データＤ９は、「１世帯の被保険者数」であり、データＤ１０ａ〜１０ｃ（第１０情報）のそれぞれは、「被保険者の属性コード」、「被保険者の職制コード」、「被保険者の続柄コード」である。
【００４７】
そして、特定部１０３は、ｎ個のデータを含む中間データ７３から、上述した１４個のデータＤ１〜Ｄ１０ｃを、教師データを使用する際に用いるデータとして特定する（Ｓ２３）。
【００４８】
教師データ生成部１０４は、特定部１０３で特定された１４個のデータＤ１〜Ｄ１０ｃと、中間データ７３に基づいて、教師データ７４を生成する（Ｓ２４）。具体的には、教師データ生成部１０４は、被保険者が適切な者（第１被保険者）である情報（“１”）が付され、１４個のデータＤ１〜Ｄ１０ｃを含む、複数の教師データ７４ａと、被保険者が不適切な者（第２被保険者）である情報（“０”）が付され、１４個のデータＤ１〜Ｄ１０ｃを含む、複数の教師データ７４ｂと、を生成する。
【００４９】
そして、学習モデル生成部１０５は、教師データ７４ａ，７４ｂを用いて機械学習を行い、被保険者が、柔整施術を適切に受けた者であるか否かを判定するために用いられる学習モデル７５を生成する（Ｓ２５）。なお、学習モデル生成部１０５は、生成した学習モデル７５を、記憶装置５２に格納する。
【００５０】
なお、生成された学習モデル７５は、対象者の１４個のデータＤ１〜Ｄ１０ｃが入力されると、対象者が、適切な施術を受けた者か否を推定するためのモデル。具体的には、学習モデル７５は、１４個のデータＤ１〜Ｄ１０ｃの値が入力される所定の関数ｆ（Ｄ１，Ｄ２，〜Ｄ１０ｃ）であり、対象者が、適切な施術を受けた者か否かを示す情報（例えば、“０”または“１”）を出力する。
【００５１】
−−−対象者が不適切な者か否かを判定する処理について−−−
＜＜演算装置５０ｂに実現される機能ブロック＞＞
図８は、不適切な施術を受けた者を判定する判定プログラム７１が実行された際に、演算装置５０に実現される機能ブロックを示す図である。
【００５２】
演算装置５０ｂには、データ処理部１２０、取得部１２１、判定部１２２、及び判定結果処理部１２３が実現される。
【００５３】
データ処理部１２０は、判定の対象となる対象者の初期データ７２を取得し、中間データ７３（ｘ１，ｘ２，ｘ３，・・・，ｘｎ）を生成する。
【００５４】
取得部１２１は、データ処理部１２０で生成された、対象者の中間データ７３から、１４個のデータＤ１〜Ｄ１０ｃを取得し、入力データＤｉとする。
【００５５】
判定部１２２は、入力データＤｉと、学習モデル７５とに基づいて、対象者が不適切な者であるか否かを判定する。
【００５６】
判定結果処理部１２３は、判定部１２２の判定結果を記憶装置５２に格納するとともに、表示装置５４の画面（不図示）に表示させる。
【００５７】
＜＜判定処理Ｓ１１について＞＞
図９は、被保険者である「対象者Ｘ」が、医療保険の対象とならない不適切な施術を受けた者であるか否かを判定する判定処理Ｓ１１を示すフローチャートである。
【００５８】
まず、データ処理部１２０は、判定の対象となる「対象者Ｘ」の初期データ７２を取得し、「対象者Ｘ」の中間データ７３を生成する（Ｓ４０）。そして、取得部１２１は、処理Ｓ４０で生成された「対象者Ｘ」の中間データ７３に含まれる１４個のデータＤ１〜Ｄ１０ｃを、入力データＤｉとして取得する（Ｓ４１）。
【００５９】
また、判定部１２２は、入力データＤｉと、記憶装置５２に格納された学習モデル７５とに基づいて、「対象者Ｘ」が、不適切な施術を受けた者であるか否かを判定する（Ｓ４２）。具体的には、上述のように、入力データＤｉの１４個のデータが、学習モデル７５を示す関数ｆ（Ｄ１，Ｄ２，〜，Ｄ１０ｃ）に用いられると、関数ｆは、「対象者Ｘ」が、適切な施術を受けた者か否かを示す情報（例えば、“０”または“１”）を出力する。
【００６０】
そして、判定結果処理部１２３は、処理Ｓ４２で得られる判定結果を、記憶装置５２に格納するとともに、表示装置５４の画面（不図示）に表示させる。この結果、利用者は、「対象者Ｘ」が、医療保険の対象とならない不適切な施術を受けた者であるか否かを把握することができる。なお、本実施形態では、例えば、判定結果を画面に表示させることとしたが、これに限られない。例えば、判定結果を、「対象者Ｘ」の携帯電話等の端末に送信し、注意を喚起しても良い。
【００６１】
−−−まとめ−−−
以上、本実施形態の判定システム１０について説明した。本実施形態では、中間データ７３に含まれる１４個のデータＤ１〜Ｄ１０ｃを用いて学習モデル７５を生成し、判定処理を実行したが、これに限られない。例えば、対象者が不適切な者であるか否かを判定する際に、重要度の高い３つのデータＤ１〜Ｄ３（第１〜第３情報）を用いて学習モデル７５を生成し、判定処理を実行しても良い。このような場合であっても、複数の被保険者から、医療保険の対象とならない不適切な施術を受けた者を判定することができる。
【００６２】
また、本明細書の記載により、少なくとも次のことが明らかにされる。すなわち、前記取得部は、前記対象者の年齢に関する第４情報を更に取得し、前記判定部は、前記第１及び第２保険者の夫々の前記第１〜４情報に基づいて前記機械学習により得られる前記学習モデルと、前記対象者の前記第１〜４情報と、に基づいて、前記対象者が前記柔道整復施術を適切に受けた者であるか否かを判定すること、としても良い。
【００６３】
このような場合、学習モデル７５は、データＤ４「被保険者の年齢（生年）」を考慮して生成されるため、より精度良く、医療保険の対象とならない不適切な施術を受けた者を判定することができる。
【００６４】
また、前記取得部は、前記対象者の前記施設での施術期間に関する第５情報を更に取得し、前記判定部は、前記第１及び第２保険者の夫々の前記第１〜５情報に基づいて前記機械学習により得られる前記学習モデルと、前記対象者の前記第１〜５情報と、に基づいて、前記対象者が前記柔道整復施術を適切に受けた者であるか否かを判定すること、としても良い。
【００６５】
このような場合、学習モデル７５は、データＤ５ａ「柔整の療養費申請年月」、データＤ５ｂ「柔整での診察開始年月」を考慮して生成されるため、より精度良く、医療保険の対象とならない不適切な施術を受けた者を判定することができる。
【００６６】
また、前記取得部は、前記対象者の健康保険の加入期間に関する第６情報を更に取得し、前記判定部は、前記第１及び第２保険者の夫々の前記第１〜６情報に基づいて前記機械学習により得られる前記学習モデルと、前記対象者の前記第１〜６情報と、に基づいて、前記対象者が前記柔道整復施術を適切に受けた者であるか否かを判定すること、としても良い。
【００６７】
このような場合、学習モデル７５は、データＤ６ａ「保険資格取得年」、データＤ６ｂ「保険資格喪失年」を考慮して生成されるため、より精度良く、医療保険の対象とならない不適切な施術を受けた者を判定することができる。
【００６８】
また、前記取得部は、前記対象者の住所から前記施設までの距離を示す第７情報を更に取得し、前記判定部は、前記第１及び第２保険者の夫々の前記第１〜７情報に基づいて前記機械学習により得られる前記学習モデルと、前記対象者の前記第１〜７情報と、に基づいて、前記対象者が前記柔道整復施術を適切に受けた者であるか否かを判定すること、としても良い。
【００６９】
このような場合、学習モデル７５は、データＤ７「被保険者の住所から柔整施設までの距離」を考慮して生成されるため、より精度良く、医療保険の対象とならない不適切な施術を受けた者を判定することができる。
【００７０】
また、前記取得部は、前記対象者の住所から勤務先までの距離を示す第８情報を更に取得し、前記判定部は、前記第１及び第２保険者の夫々の前記第１〜８情報に基づいて前記機械学習により得られる前記学習モデルと、前記対象者の前記第１〜８情報と、に基づい
て、前記対象者が前記柔道整復施術を適切に受けた者であるか否かを判定すること、としても良い。
【００７１】
このような場合、学習モデル７５は、データＤ８「被保険者の住所から勤務先までの距離」を考慮して生成されるため、より精度良く、医療保険の対象とならない不適切な施術を受けた者を判定することができる。
【００７２】
また、前記取得部は、前記対象者が属する世帯の被保険者数を示す第９情報を更に取得し、前記判定部は、前記第１及び第２保険者の夫々の前記第１〜９情報に基づいて前記機械学習により得られる前記学習モデルと、前記対象者の前記第１〜９情報と、に基づいて、前記対象者が前記柔道整復施術を適切に受けた者であるか否かを判定すること、としても良い。
【００７３】
このような場合、学習モデル７５は、データＤ９「１世帯の被保険者数」を考慮して生成されるため、より精度良く、医療保険の対象とならない不適切な施術を受けた者を判定することができる。
【００７４】
また、前記取得部は、前記対象者の属性を示す第１０情報を更に取得し、前記判定部は、前記第１及び第２保険者の夫々の前記第１〜１０情報に基づいて前記機械学習により得られる前記学習モデルと、前記対象者の前記第１〜１０情報と、に基づいて、前記対象者が前記柔道整復施術を適切に受けた者であるか否かを判定すること、としても良い。
【００７５】
このような場合、学習モデル７５は、データＤ１０ａ〜１０ｃ「被保険者の属性コード」、「被保険者の職制コード」、「被保険者の続柄コード」を考慮して生成されるため、より精度良く、医療保険の対象とならない不適切な施術を受けた者を判定することができる。
【００７６】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００７７】
例えば、本実施形態では、学習モデル７５が生成される処理Ｓ１０と、判定処理Ｓ１１とが、同じ判定システム１０で実施されたが、これに限られない。例えば、学習モデル７５が生成される処理Ｓ１０と、判定処理Ｓ１１とが異なる装置で実施されても良い。
【００７８】
また、学習モデル７５を記憶する記憶装置に対して、対象者の情報がインターネットを介して送信される場合、対象者の情報のうち、個人情報に関しては匿名化の処理が施されても良い。このような処理が施されることにより、個人情報をやりとりする際の安全性を高めることができる。
【００７９】
また、本実施形態の取得部１２１は、データ処理部１２０で生成された、対象者の中間データ７３から所定のデータを取得したが、これに限られない。例えば、対象者の中間データ７３が記憶装置５２に格納されている場合、記憶装置５２から、所定のデータを取得しても良い。また、取得部１２１は、記憶装置５２に記憶された所定のデータが送信され、取得部１２１が受信しても良い。このような場合も、取得部１２１は、所定のデータ（例えば、１４個のデータ）を取得（受信）することになる。
【００８０】
また、実行可能なプログラムが記憶された非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ
ａｎ  ｅｘｅｃｕｔａｂｌｅ  ｐｒｏｇｒａｍ  ｔｈｅｒｅｏｎ）を用いて、コンピュ
ータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【００８１】
１０  判定システム
２０，５２  記憶装置
２１  判定装置
３０  個人情報データ
３１  レセプトデータ
３２  柔整データ
５０  演算装置
５１  メモリ
５３  入力装置
５４  表示装置
５５  通信装置
７０  生成プログラム
７１  判定プログラム
７２  初期データ
７３  中間データ
７４  教師データ
７５  学習モデル
７６  判定データ
１００，１２１  取得部
１０１，１２０  データ処理部
１０２  分析部
１０３  特定部
１０４  教師データ生成部
１０５  学習モデル生成部
１２２  判定部
１２３  判定結果処理部
【図１】
2019212117.tif 000003
【図２】
2019212117.tif 000004
【図３】
2019212117.tif 000005
【図４】
2019212117.tif 000006
【図５】
2019212117.tif 000007
【図６】
2019212117.tif 000008
【図７】
2019212117.tif 000009
【図８】
2019212117.tif 000010
【図９】
2019212117.tif 000011